(57)【要約】【課題】上衣及び下衣の連結の際に痛みを感じない衣服を提供すること。【解決手段】第１の連結具を備えるテープ状基材を有する下衣と、一又は複数の第２の連結具を備える上衣とを含む衣服であって、上記テープ状基材が、第１の連結具の係合されない側と、上記下衣との間に指を入れることができるように、上記下衣の外側に取り付けられ、第２の連結具が、上記上衣の内側の、第１の連結具に対応する場所に、直接又は間接的に取り付けられており、そして第１の連結具及び第２の連結具を係合させる際に、指で挟み込んで係合させることにより、上記上衣及び下衣を連結することができることを特徴とする衣服。【選択図】図１
2014196593.tif 000002
【特許請求の範囲】
【請求項１】
第１の連結具を備えるテープ状基材を有する下衣と、一又は複数の第２の連結具を備える上衣とを含む衣服であって、
前記テープ状基材が、第１の連結具の係合されない側と、前記下衣との間に指を入れることができるように、前記下衣の外側に取り付けられ、
第２の連結具が、前記上衣の内側の、第１の連結具に対応する場所に、直接又は間接的に取り付けられており、そして
第１の連結具及び第２の連結具を係合させる際に、指で挟み込んで係合させることにより、前記上衣及び下衣を連結することができることを特徴とする、
前記衣服。
【請求項２】
前記テープ状基材が、複数の第１の連結具を備えている、請求項１に記載の衣服。
【請求項３】
前記テープ状基材が、前記複数の第１の連結具が丈方向に配置されるように、前記下衣に取り付けられている、請求項２に記載の衣服。
【請求項４】
前記テープ状基材が、前記テープ状基材の長手方向両端と、各第１の連結具間とにおいて、前記下衣に取り付けられている、請求項２又は３に記載の衣服。
【請求項５】
前記一又は複数の第２の連結具が、第２のテープ状基材を介して、前記上衣に間接的に取り付けられている、請求項１〜４のいずれか一項に記載の衣服。
【請求項６】
第１の連結具及び第２の連結具を、ウエストからヒップの高さに有する、請求項１〜５のいずれか一項に記載の衣服。
【請求項７】
第１の連結具を下衣の左右の２カ所に有し、そして第２の連結具を上衣の左右の２カ所に有する、請求項１〜６のいずれか一項に記載の衣服。
【請求項８】
第１の連結具及び第２の連結具が、一対のスナップである、請求項１〜７のいずれか一項に記載の衣服。
【請求項９】
スポーツ用衣服である、請求項１〜８のいずれか一項に記載の衣服。
【請求項１０】
水着である、請求項１〜９のいずれか一項に記載の衣服。
【請求項１１】
一又は複数の第１の連結具を備える下衣と、第２の連結具を備えるテープ状基材を有する上衣とを含む衣服であって、
前記テープ状基材が、第２の連結具の係合されない側と、前記上衣との間に指を入れることができるように、前記上衣の外側に取り付けられ、
第１の連結具が、前記下衣の内側の、第２の連結具に対応する場所に、直接又は間接的に取り付けられており、そして
第１の連結具及び第２の連結具を係合させる際に、指で挟み込んで係合させることにより、前記上衣及び下衣を連結することができることを特徴とする、
前記衣服。
【発明の詳細な説明】
【技術分野】
【０００１】
本発明は、第１の連結具を備えるテープ状基材を有する下衣と、一又は複数の第２の連結具を備える上衣とを含む衣服に関する。本発明はまた、上衣及び下衣の連結の際に痛みを感じない、第１の連結具を備えるテープ状基材を有する下衣と、一又は複数の第２の連結具を備える上衣とを含む衣服に関する。
【背景技術】
【０００２】
従来、上衣及び下衣を含む衣服、例えば、スポーツ用衣服では、運動時に上衣が捲れ、腹部が露出する場合があった。また、上衣及び下衣に分かれたセパレートタイプの水着は、ワンピースタイプの水着と比較して脱着がしやすいことから人気があるが、アクアエクササイズ等の水中で激しく動いた際に、運動及び水流に起因して、腹部が露出する場合があり、ユーザーに敬遠されることがあった。
【０００３】
上記問題点を改良するため、特許文献１には、スナップボタン等の結合部材により、上衣及び下衣を固定することができるスポーツウェアが開示されている。また、非特許文献１にも、同様の機構を有する水着が開示されている。
【０００４】
スナップボタンは、凸部材と、凹部材とを係合させる際に、当該凸部材と凹部材とを、外側から加圧することにより係合する機構を有するが、特許文献１のスポーツウェア及び非特許文献１の水着では、指と、身体の一部、例えば、骨盤部分との間で上記凸部材及び凹部材を加圧すると、スナップボタンが身体の骨盤等に当たり、痛みを感じる場合があることが見出された。
特許文献１のスポーツウェア及び非特許文献１の水着では、スナップボタンの凸部材及び凹部材、特に下衣側のスナップボタンを視認することができないので、痛みを感じないように、衣服をずらしてスナップボタンの凸部材と凹部材とを指で挟むことも難しい。
【０００５】
特許文献２には、左右前身頃に指挿入部を有し、片手でも簡単且つ快適に着脱できる衣類、特に身障者用パジャマが開示されている。
しかし、特許文献２に記載の衣類は、片手で簡単且つ快適に着脱することを目的とし、上衣の右前身頃と左前身頃とを簡易に連結するものであって、運動時等の捲れを防止するために、上衣と下衣とを連結するものではない。
【先行技術文献】
【特許文献】
【０００６】
【特許文献１】実用新案登録第３１１１３００号公報
【特許文献２】特開２００２−１７３８１０号公報
【非特許文献】
【０００７】
【非特許文献１】ゴールドウイン（株），プレスリリース，２００９年１１月１８日，インターネット＜ＵＲＬ：http://www.goldwin.co.jp/corp/pr/2009/11/post-25.html＞
【発明の概要】
【発明が解決しようとする課題】
【０００８】
以上のように、特許文献１のスポーツウェア及び非特許文献１の水着には、上述の問題点があった。また、特許文献２の衣類は、上衣と下衣とを連結する機構を有していない。
従って、本発明は、上衣及び下衣の連結の際に痛みを感じない衣服を提供することを目的とする。
【課題を解決するための手段】
【０００９】
本発明者らは、上記課題を解決するために鋭意検討した結果、第１の連結具を備えるテープ状基材を有する下衣と、一又は複数の第２の連結具を備える上衣とを含む衣服であって、上記テープ状基材が、第１の連結具の係合されない側と、上記下衣との間に指を入れることができるように、上記下衣の外側に取り付けられ、第２の連結具が、上記上衣の内側の、第１の連結具に対応する場所に、直接又は間接的に取り付けられており、そして第１の連結具及び第２の連結具を係合させる際に、指で挟み込んで係合させることにより、上記上衣及び下衣を連結することができることを特徴とする衣服により、上記課題を解決できることを見出し、本発明を完成するに至った。
【００１０】
具体的には、本発明は以下の態様に関する。
［態様１］
第１の連結具を備えるテープ状基材を有する下衣と、一又は複数の第２の連結具を備える上衣とを含む衣服であって、
上記テープ状基材が、第１の連結具の係合されない側と、上記下衣との間に指を入れることができるように、上記下衣の外側に取り付けられ、
第２の連結具が、上記上衣の内側の、第１の連結具に対応する場所に、直接又は間接的に取り付けられており、そして
第１の連結具及び第２の連結具を係合させる際に、指で挟み込んで係合させることにより、上記上衣及び下衣を連結することができることを特徴とする、
上記衣服。
【００１１】
［態様２］
上記テープ状基材が、複数の第１の連結具を備えている、態様１に記載の衣服。
［態様３］
上記テープ状基材が、上記複数の第１の連結具が丈方向に配置されるように、上記下衣に取り付けられている、態様２に記載の衣服。
【００１２】
［態様４］
上記テープ状基材が、上記テープ状基材の長手方向両端と、各第１の連結具間とにおいて、上記下衣に取り付けられている、態様２又は３に記載の衣服。
［態様５］
上記一又は複数の第２の連結具が、第２のテープ状基材を介して、上記上衣に間接的に取り付けられている、態様１〜４のいずれか一つに記載の衣服。
【００１３】
［態様６］
第１の連結具及び第２の連結具を、ウエストからヒップの高さに有する、態様１〜５のいずれか一つに記載の衣服。
［態様７］
第１の連結具を下衣の左右の２カ所に有し、そして第２の連結具を上衣の左右の２カ所に有する、態様１〜６のいずれか一つに記載の衣服。
【００１４】
［態様８］
第１の連結具及び第２の連結具が、一対のスナップである、態様１〜８のいずれか一つに記載の衣服。
［態様９］
スポーツ用衣服である、態様１〜８のいずれか一つに記載の衣服。
［態様１０］
水着である、態様１〜９のいずれか一つに記載の衣服。
【００１５】
［態様１１］
一又は複数の第１の連結具を備える下衣と、第２の連結具を備えるテープ状基材を有する上衣とを含む衣服であって、
上記テープ状基材が、第２の連結具の係合されない側と、上記上衣との間に指を入れることができるように、上記上衣の外側に取り付けられ、
第１の連結具が、上記下衣の内側の、第２の連結具に対応する場所に、直接又は間接的に取り付けられ、そして
第１の連結具及び第２の連結具を指で挟み込んで係合させることにより、上記上衣及び下衣を連結することができることを特徴とする、
上記衣服。
【発明の効果】
【００１６】
本発明の衣服は、第１の連結具と、第２の連結具とを指で挟み込んで係合させることにより、上衣及び下衣を連結することができるので、上衣及び下衣の連結の際に痛みを感じない。
また、本発明の衣服は、第１の連結具の係合されない側と、下衣との間に、指を入れることができ、第１の連結具及び第２の連結具の位置を、敏感な手の平で認識しながら、第１の連結具及び第２の連結具を係合させることができるので、第１の連結具及び第２の連結具の係合が簡易である。
【図面の簡単な説明】
【００１７】
【図１】図１は、本発明の衣服の実施態様の１つの斜視図である。
【図２】図２は、図１の衣服において、第１の連結具を備えるテープ状基材と、第２の連結具を備える第２のテープ状基材とを説明するために、上衣が一部裏返された状態の図である。
【図３】図３は、本発明の衣服の一態様において、上衣及び下衣の係合の仕方を説明するための図である。
【図４】図４は、第１の連結具を１つ備えるテープ状基材の、下衣への取り付け例を示す図である。
【図５】図５は、第１の連結具を２つ備えるテープ状基材の、下衣への取り付け例を示す図である。
【発明を実施するための形態】
【００１８】
本発明の衣服について、以下、必要に応じて図面を用いて、詳細に説明する。
図１は、本発明の衣服の実施態様の１つの斜視図である。図１の衣服１は、上衣２及び下衣３を含むセパレートタイプの水着であり、そして上衣２の内側には、第２の連結具５が、第２のテープ状基材４を介して取り付けられている。また、下衣３には、第１の連結具（図示せず）が、テープ状基材（図示せず）を介して取り付けられている。さらに、第１の連結具（図示せず）は、第２の連結具５と係合することにより、上衣２及び下衣３が連結されている。なお、図１において、識別子６，７及び８は、それぞれ、ファスナー、縫製部及び縫合部である。
【００１９】
図２は、図１の衣服１において、第１の連結具を備えるテープ状基材と、第２の連結具を備える第２のテープ状基材とを説明するために、上衣が一部裏返された状態の図である。図２の衣服１は、第１の連結具１０として、２個のスナップを備えるテープ状基材９を有する下衣３と、第２の連結具５として、２個のスナップを備える第２のテープ状基材４を有する上衣２とを含む。テープ状基材９は、第１の連結具１０の係合されない側と、下衣３との間に指を入れることができるような様式において、下衣３の外側に取り付けられている。図２では、第２の連結具５は、上衣２の内側の、第１の連結具に対応する場所に、第２のテープ状基材４を介して取り付けられている。
図２の衣服１を着用する際には、第１の連結具１０及び第２の連結具５を指で挟み込んで係合させることにより、上衣２及び下衣３を連結することができる。
【００２０】
本明細書において、「内側」は、上衣又は下衣の身体に面する側を意味し、そして「外側」は、上衣又は下衣の外気に面する側を意味する。
本明細書において、「対応する場所」とは、上衣及び下衣において、通常の体型のユーザーが着用した場合に、重なり合う場所及びその付近を意味する。
本明細書において、「係合されない側」とは、テープ状基材及び第２のテープ状基材のうち、連結具が他の連結具と係合しない側、通常は、衣服の側を意味する。
【００２１】
図２では、第１の連結具１０及び第２の連結具５の個数は、テープ状基材１つ当たり、それぞれ、２個であるが、本発明においては、テープ状基材１つ当たりの連結具の個数は特に制限されず、それぞれ独立して、１個又は複数、例えば、２個、３個若しくは４個以上であることができる。
テープ状基材１つ当たり、複数個の第１の連結具及び／又は第２の連結具を有する実施形態は、後述の第１の連結具及び／又は第２の連結具が丈方向に配列される実施形態と組み合わせた場合には、第１の連結具と、対になる第２の連結具をずらして係合させることができ、ユーザーの個人差、特に身長差に適合するサイズ調節機能を有することができる。
【００２２】
また、図２では、テープ状基材が、第１の連結具１０及び第２の連結具５が、それぞれ、丈方向に配置されるように取り付けられているが、本発明においては、上記方向は特に限定されず、第１の連結具及び／又は第２の連結具が、例えば、丈方向、丈方向に対し３０°の角度を有する方向、丈方向に対し４５°の角度を有する方向、丈方向に対し６０°の角度を有する方向、丈方向に対し９０°の角度を有する方向（水平方向）等に配置されるように、テープ状基材が、上衣及び／又は下衣に取り付けられてもよい。指の入れやすさを考慮すると、テープ状基材は、第１の連結具及び／又は第２の連結具が、丈方向、丈方向に対し３０°の角度を有する方向、及び丈方向に対し４５°の角度を有する方向に配置されるように取り付けられることが好ましく、そして丈方向に配置されるように取り付けられることがより好ましい。
【００２３】
テープ状基材が、第１の連結具及び／又は第２の連結具が丈方向に配置されるように取り付けられることは、強度の観点からも好ましい。運動等の激しい動きをした場合に、第１の連結具を備えるテープ状基材は、足方向の張力がかかり、一方、第２の連結具及び所望による第２のテープ状基材は、頭方向の張力がかかる。この場合、図３等に示すように、テープ状基材が、第１の連結具及び／又は第２の連結具が丈方向に配置されるように取り付けられていると、テープ状基材を下衣に取り付ける、取付け手段、例えば、縫製は、丈方向と略垂直となるので、取付け手段（縫製等）の全体で上記張力を支えることになり、上記取付け手段と、下衣との間で破れが生じにくい。
【００２４】
一方、特許文献２に記載の衣服、例えば、特許文献２の図１に示す前全開パジャマ衣類１０では、右前身頃１３に取り付けられた留具支持布１８は、ユーザーから見て右手方向が縫製されておらず、指挿入部を構成する。前全開パジャマ衣類１０では、ユーザーの着用時には、主に、左右方向に張力がかかるので、図１の縫着Ｈの部分に張力が集中し、破れやすい問題点がある。特許文献２に開示される図１以外の態様においても、全て、同様の問題点がある。
【００２５】
なお、本明細書において、丈方向とは、ユーザーの頭から足にかけての方向を意味する。
また、第１の連結具の配置の方向は、複数の連結具が形成する方向を規定しており、テープ状基材１つ当たり第１の連結具が１つのみ存在する場合を対象とするものではない。第２の連結具に関しても同様である。
【００２６】
図２では、テープ状基材９は、テープ状基材９の長手方向両端と、２個の第１の連結具１０の間とのところで、下衣３に取り付けられているが、本発明においては、テープ状基材が、第１の連結具の係合されない側と、下衣との間に指を入れることができるように下衣の外側に取り付けられていれば、取り付け様式は特に制限されず、任意の様式で取り付けられうる。
【００２７】
例えば、図４に示すように、テープ状基材９が第１の連結具１０を１つ備える場合には、テープ状基材９を、４つの縁部のうち、交差しない２つの縁部１２のところで下衣に取り付け、残りの２方向の縁部を、指挿入部とすることができる。また、図示していないが、テープ状基材を、４つの縁部のうち、３つの縁部のところで下衣に取り付け、残りの１つの縁部を指挿入部としてもよい。
【００２８】
テープ状基材が第１の連結具を１つ備える態様において、図４に示すように、２方向の指挿入部を有することが好ましい。例えば、第１の連結具を備えるテープ状基材が、下衣の左右の２カ所に存在する場合には、肩、肘等が悪く、腕を後ろに下げることが難しいユーザーは、右手で右側の第１の連結具及び第２の連結具を係合させ、左手で左側の第１の連結具及び第２の連結具を係合させることが難しいときがあるが、そのような場合に、図４に示すように、２方向の指挿入部が存在すると、右手で左側の、そして左手で左側の第１の連結具及び第２の連結具を係合させることができるからである。
【００２９】
例えば、テープ状基材９が第１の連結具１０を２つ備える場合には、図５に示すように、テープ状基材９の長手方向両端１３のところでのみ、テープ状基材９を下衣に取り付けてもよい。また、図１〜３に示されるように、テープ状基材を、テープ状基材の長手方向両端と、各第１の連結具間とのところで下衣に取り付けてもよい。
また、図示していないが、テープ状基材が第１の連結具を２つ備える場合において、テープ状基材は、２つの側部のうちの１つの側部を、さらに下衣に取り付けられていてもよい。
【００３０】
テープ状基材が第１の連結具を３つ以上備える場合には、テープ状基材を、その長手方向両端と、各第１の連結具の間とのところで下衣に取り付けてもよく、あるいはテープ状基材を、その長手方向両端のところでのみ下衣に取り付けてもよい。
また、図示していないが、テープ状基材が第１の連結具を３つ以上備える場合において、テープ状基材は、その２つの側部のうちの１つの側部を、さらに下衣に取り付けられていてもよい。
【００３１】
テープ状基材９が第１の連結具１０を２つ又は３つ以上備える態様において、テープ状基材の２つの側部が下衣に固定されておらず、２方向の指挿入部を有することが好ましい。２方向の指挿入部が存在すると、肩、肘等が悪く、腕を後ろに下げることが難しいユーザーが、右手で左側の、そして左手で右側の第１の連結具及び第２の連結具を係合させることができるからである。
【００３２】
図２では、第２のテープ状基材４は、その周縁が上衣２に取り付けられているが、取り付け様式は特にこれに制限されるものではなく、テープ状基材の下衣への取り付け様式と同様であってもよい。
特に、第１の連結具を備えるテープ状基材と同様の取り付け様式を採用する、すなわち、第２のテープ状基材を、第２の連結具の係合されない側と、上衣との間に指を入れることができるように、上衣の内側に取り付けることにより、係合させる際に、第１の連結具及び第２の連結具の位置を敏感な手の平で認識しながら、第１の連結具及び第２の連結具を係合させることができるので、第１の連結具及び第２の連結具の係合がより簡易になる。
なお、図２において、第２の連結具は、第２のテープ状基材を介して上衣に取り付けられているが、本発明においては、第２の連結具は、上衣に直接取り付けられてもよい。
【００３３】
図２では、第１の連結具１０及び第２の連結具５は、ウエストからヒップの高さに配置されているが、本発明においては、上衣及び下衣が重なり合うことができる範囲であれば、第１の連結具及び第２の連結具の高さは、特に制限されない。従って、例えば、上衣がロングタイプであり、ヒップより低い位置に到達する場合には、第１の連結具及び第２の連結具は、ヒップより低い高さに配置されていてもよい。また、下衣が、ウエストより高い位置にある、例えば、下腹を覆うハイウエストタイプの場合には、第１の連結具及び第２の連結具は、ウエストより高い位置に配置されていてもよい。
また、本発明において、第１の連結具１０及び第２の連結具５は、ウエストから腹囲、又は腹囲からヒップの高さに配置されていてもよい。
【００３４】
図２では、第１の連結具１０は、下衣３の左右の２カ所（右側は図示されていない）に配置され、そして第２の連結具５は、上衣２の左右の２カ所（右側は図示されていない）に配置されているが、本発明においては、第１の連結具及び第２の連結具の数及び位置は特に制限されるものではない。例えば、本発明の衣服において、第１の連結具は、テープ状基材１つ当たり、１つ、２つ、３つ又は４つ以上であることができ、動きの激しさ等を考慮して、適宜設定されうる。第１の連結具の位置は、着用時のユーザーを基準として、前、後、右、左、右斜め後ろ、左斜め後ろ等であることができる。第２の連結具の数及び位置は、同様に、着用時のユーザーを基準として、前、後、右、左、右斜め後ろ、左斜め後ろ等であることができるが、第１の連結具の数及び位置と同一であることが好ましい。
【００３５】
第１の連結具及び第２の連結具は、力を加えることにより係合させることができるものであれば、特に制限されないが、例えば、スナップ、面ファスナー等を挙げることができる。上記スナップとしては、例えば、スナップボタン、スナップリング、アメリカンスナップ等が挙げられるが、これらに限定されるものではない。また、本明細書において、「スナップ」には、ホックが含まれる。
【００３６】
上記面ファスナーは、機械的結合を用いたファスナーであり、例えば、表面に複数の突起、例えば、鉤状、きのこ状、錨状の突起が形成されたフック部と、表面に複数のループが配置されたループ部とを組み合わせたものを挙げることができる。当該面ファスナーは、フック部の複数のフックを、ループ部の複数のループに係合させることにより、２つの部位を剥離可能なように固定することができる。
【００３７】
第１の連結具及び第２の連結具としては、係合させる際により高い圧力がかかりやすいスナップが、本発明の効果がより顕著である観点から好ましい。
第１の連結具及び第２の連結具は、一対の連結具として用いられるものであり、例えば、第１の連結具及び第２の連結具がスナップである場合には、第１の連結具が凸部材であり、そして第２の連結具が凹部材であってもよく、あるいは第１の連結具が凹部材であり、そして第２の連結具が凸部材であってもよい。同様に、第１の連結具及び第２の連結具が面ファスナーである場合には、第１の連結具がフック部を有する部材であり、そして第２の連結具がループ部を有する部材であってもよく、又は第１の連結具がループ部を有する部材であり、そして第２の連結具がフック部を有する部材であってもよい。
第１の連結具及び第２の連結具を、慣用の手段、例えば、縫製により、それぞれ、テープ状基材、及び上衣又は第２のテープ状基材に固定することができる。
【００３８】
テープ状基材及び第２のテープ状基材は、衣服に一般的に用いられる基材であり且つ第１の連結具及び第２の連結具を保持することができるものであれば、特に制限されるものではなく、例えば、テープ状の織物、編物等を挙げることができる。
第１の連結具及びテープ状基材の組み合わせ、又は第２の連結具及び第２のテープ状基材の組み合わせが、例えば、モリト株式会社からテーピースナッパー（商標）の名称で市販されており、これを用いてもよい。
上記テープ状基材及び第２のテープ状基材の、それぞれ、下衣及び上衣への取付け手段としては、当業界の慣用手段、例えば、縫製、接着等を挙げることができる。
【００３９】
本発明の衣服は、一対の上衣及び下衣を有するものであれば、特に制限されず、例えば、日常生活用の衣服、スポーツ用衣服が挙げられる、上記衣服の中では、スポーツ用衣服が好ましい。生地が薄いことが多く、第２の連結具を第１の連結具に係合させる際に体に押しつけられると痛みを感じやすいからである。
上記スポーツ用衣服としては、特に制限されないが、例えば、陸上競技、野球、ソフトボール、テニス、ハンドボール、体操、卓球、バドミントン、サッカー、バスケットボール、バレーボール、自転車、スキー、スノーボード、スケート、水泳（水着）、ボートレースだけでなく、持久系スポーツ、ランニング、ウォーキング、トレッキング、登山、ゴルフ等用の衣服が挙げられる。
【００４０】
上記スポーツ用衣服において、水着が特に好ましい。生地が薄く、第２の連結具を第１の連結具に係合させる際に体に押しつけられると痛みを感じやすい上に、水着は一般的に体にフィットするので、第１の連結具及び第２の連結具を、それらの位置をずらして係合することが難しいからである。
【００４１】
本発明の衣服において、上衣は、下衣と重なり合う部分があれば、それ以外は特に制限されず、例えば、袖に関しては、半袖、五分袖、七分袖、長袖等であることができ、そして身丈に関しては、例えば、ウエストまで、腹囲まで、ヒップまで、そして大腿部までであることができる。
また、本発明の衣服において、下衣は、上衣と重なり合う部分があれば、それ以外は特に制限されないが、身丈に関しては、例えば、股下まで、膝上まで、膝下まで、足首まで、そして足までであることができる。
図１では、上衣２は、ファスナー６を有し、前部を開いて着脱することができるが、本発明に用いられる上着においては、ファスナーは、必須ではない。
【００４２】
図３は、本発明の衣服の一態様において、第１の連結具及び第２の連結具を係合の仕方の一例を説明するための図である。図３では、上衣が省略されている。図３では、向かって右側がユーザーの前方である。
ユーザーは、上衣（図示せず）及び下衣３を着用した後、右手の親指を、手の平が外側を向くように指挿入部１１に入れ、人差し指で、上衣の第２の連結部（図示せず、下側のもの）を、第１の連結具１０の上に誘導し、次いで親指と人差し指との間で、第１の連結具１０及び第２の連結具を係合させる。次いで、親指を指挿入部１１’に移動し、人差し指で、上衣の第２の連結部（図示せず、上側のもの）を、第１の連結具１０の上に誘導し、次いで親指と人差し指との間で、第１の連結具１０及び第２の連結具を係合させることができる。
【００４３】
あるいは、ユーザーは、右手の人差し指及び中指を、手の平が外側を向くように、それぞれ、指挿入部１１及び指挿入部１１’に挿入し、親指で、上衣の第２の連結部（図示せず、下側のもの）を、指挿入部１１よりの第１の連結具１０の上に誘導し、次いで親指と人差し指との間で係合させることができる。次いで、親指で、上衣の第２の連結部（図示せず、上側のもの）を、指挿入部１１’よりの第１の連結具１０の上に誘導し、次いで親指と中指との間で、第１の連結具１０及び第２の連結具を係合させることができる。
【００４４】
本発明の衣服において、上衣及び下衣の素材は、衣服において通常用いられる素材であれば、特に制限されず、例えば、天然繊維及び合成繊維に由来する、織物、編物等を挙げることができる。
【００４５】
本発明の別の態様は、第１の連結具を備える下衣と、第２の連結具を備えるテープ状基材を有する上衣とを含む衣服において、上記テープ状基材が、第２の連結具の係合されない側と、上記上衣との間に指を入れることができるように、上記上衣の外側に取り付けられ、第１の連結具が、上記下衣の内側の、第２の連結具に対応する場所に、直接又は間接的に取り付けられ、そして第１の連結具及び第２の連結具を指で挟み込むことにより、上記上衣及び下衣を連結することができる衣服である。
【００４６】
上記別の態様は、上衣の、足寄りの端部を、下衣の中にしまって着用する衣服に好適である。上衣の、足寄りの端部を下衣にしまって着用する場合には、一般的には、上記足寄りの端部は、下衣により固定されているので、はみ出しにくいが、激しい運動等を行った場合には、上衣の足側端部が下衣からはみ出すことも考えられる。従って、上衣の、足寄りの端部を、下衣の中にしまって着用する衣服であっても、上衣を下衣に連結することが好ましい場合がある。
上記別の態様の衣服としては、例えば、野球用衣服等を挙げることができる。
上記別の態様において、各用語の意味は、上述のものと同一である。
【実施例】
【００４７】
以下、実施例および比較例を挙げて本発明を説明するが、本発明はこれらの実施例に限定されるものではない。
［実施例１］
図１〜３に示されるような水着を製造し、複数名のモニターに着用してもらったところ、従来の水着と比較して、第１の連結具を第２の連結具に係合させる際に、痛みを感じ難いとの回答を得た。
また、第１の連結具と、下衣との間に指を入れることができるので、手の平で、スナップの位置を把握しやすいとの回答を得た。
【符号の説明】
【００４８】
１    衣服
２    上衣
３    下衣
４    第２のテープ状基材
５    第２の連結具
６    ファスナー
７    縫製部
８    縫合部
９    テープ状基材
１０    第１の連結具
１１，１１’    指挿入部
１２    縁部
１３    長手方向両端
【図１】
2014196593.tif 000003
【図２】
2014196593.tif 000004
【図３】
2014196593.tif 000005
【図４】
2014196593.tif 000006
【図５】
2014196593.tif 000007
【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
複数の第１の連結具を備え、長手方向を有するテープ状基材を有する下衣と、一又は複数の第２の連結具を備える上衣とを含む衣服であって、
第１の連結具が、前記テープ状基材の長手方向に添って配置され、
前記テープ状基材が、前記テープ状基材の長手方向両端と、各第１の連結具間とにおいて、前記下衣に取り付けられることにより、前記テープ状基材の第１の連結具の係合されない側と、前記下衣との間に、指を入れるための、複数の指挿入部が形成され、
前記複数の指挿入部は、前記テープ状基材の長手方向の両側部から指を挿入可能であり、各指挿入部は、ユーザーの親指、人差し指及び中指からなる群から選択される指１本分の大きさを有し、
第２の連結具が、前記上衣の内側の、第１の連結具に対応する場所に、直接又は間接的に取り付けられており、そして
ユーザーが、各指挿入部に挿入された指と、第２の連結具の外側に配置された指との間で、第１の連結具及び第２の連結具を挟み込んで係合させ、前記上衣及び下衣を連結することができることを特徴とする、
前記衣服。
【請求項２】
前記テープ状基材が、前記複数の第１の連結具が丈方向に配置されるように、前記下衣に取り付けられている、請求項１に記載の衣服。
【請求項３】
前記一又は複数の第２の連結具が、第２のテープ状基材を介して、前記上衣に間接的に取り付けられている、請求項１又は２に記載の衣服。
【請求項４】
第１の連結具及び第２の連結具を、ウエストからヒップの高さに有する、請求項１〜３のいずれか一項に記載の衣服。
【請求項５】
第１の連結具を下衣の左右の２カ所に有し、そして第２の連結具を上衣の左右の２カ所に有する、請求項１〜４のいずれか一項に記載の衣服。
【請求項６】
第１の連結具及び第２の連結具が、一対のスナップである、請求項１〜５のいずれか一項に記載の衣服。
【請求項７】
スポーツ用衣服である、請求項１〜６のいずれか一項に記載の衣服。
【請求項８】
水着である、請求項１〜７のいずれか一項に記載の衣服。
【請求項９】
一又は複数の第１の連結具を備える下衣と、複数の第２の連結具を備え、長手方向を有するテープ状基材を有する上衣とを含む衣服であって、
第２の連結具が、前記テープ状基材の長手方向に添って配置され、
前記テープ状基材が、前記テープ状基材の長手方向両端と、各第２の連結具間とにおいて、前記上衣に取り付けられることにより、前記テープ状基材の第２の連結具の係合されない側と、前記上衣との間に、指を入れるための、複数の指挿入部が形成され、
前記複数の指挿入部は、前記テープ状基材の長手方向の両側部から指を挿入可能であり、各指挿入部は、ユーザーの親指、人差し指及び中指からなる群から選択される指１本分の大きさを有し、
第１の連結具が、前記下衣の内側の、第２の連結具に対応する場所に、直接又は間接的に取り付けられており、そして
ユーザーが、各指挿入部に挿入された指と、第１の連結具の外側に配置された指との間で、第１の連結具及び第２の連結具を挟み込んで係合させ、前記上衣及び下衣を連結することができることを特徴とする、
前記衣服。